(57)【要約】【課題】本発明は電気掃除機の吸引管或いは吸引ホースの先端外形や太さを気にせずに使用でき、細くて柔軟性のあるホースを取付けて使用すれば、従来掃除が出来なかった狭い隙間や溝或いは折曲した隙間及び奥行きのある隙間などを簡単に掃除することが可能になると共に周囲の物体を損傷する恐れがなく掃除することが可能になる吸引ホース用接続具を提供することを目的とする。【解決手段】メガホン状の円筒な接続部１と、ホース７が差込まれるための円錐筒状の差込部２と、該差込部２と接続部１を連結する円筒状の把持部３とが、弾性を有した合成樹脂或いはゴムで一体成形された構造とする。又、前記差込部２が、徐々に太くなる複数の段部を有した円筒状に形成しても良く、更に前記差込部２の外周に口径目安線を設けると良く、前記把持部３の外周全体に突起５を設けるのが好ましい。【選択図】図３
2009125336.tif 000002
【特許請求の範囲】
【請求項１】
吸引ホース（６）或いは吸引管（９）の先端に挿入して取付けるためのメガホン状の円筒な接続部（１）と、ホース（７）の径に応じて先端を切断しその切口に前記ホース（７）が差込まれるための円錐筒状の差込部（２）と、該差込部（２）の基部側と前記接続部（１）の大口側を連結する円筒状の把持部（３）とが、弾性を有した合成樹脂或いはゴムで一体成形されたことを特徴とする吸引ホース用接続具。
【請求項２】
吸引ホース（６）或いは吸引管（９）の先端に挿入して取付けるためのメガホン状の円筒な接続部（１）と、ホース（７）の一端に挿入して取付けるために徐々に太くなる複数の段部を有した円筒状の差込部（２）と、該差込部（２）の基部側と前記接続部（１）の大口側を連結する円筒状の把持部（３）とが、弾性を有した合成樹脂或いはゴムで一体成形されたことを特徴とする吸引ホース用接続具。
【請求項３】
前記差込部（２）の外周に、前記ホース（７）が挿入される口径目安を表示する口径目安線（４）が設けられた請求項１記載の吸引ホース用接続具。
【請求項４】
前記把持部（３）の外周全体に突起（５）が設けられた請求項１又は２記載の吸引ホース用接続具。
【発明の詳細な説明】
【技術分野】
【０００１】
本発明は電気掃除機の吸引管或いは吸引ホースなどの先端にホースを接続する際に使用するものであり、従来の電気掃除機では掃除しにくかった狭い隙間や溝或いは曲りくねった隙間の掃除が可能になるための吸引ホース用接続具に関する。
【背景技術】
【０００２】
一般に電気掃除機による掃除は図５に示すように、吸引ホース（６）に吸引管（９）を取付け、その先端に吸込具（８）を取付けて掃除が行われるが、タンスなどの家具と壁等の隙間の掃除，家具や機械器具及びベッドなどの下部の隙間の掃除，床と壁の隅の掃除，窓枠のレール部の掃除を吸込具（８）で行う場合には、きれいにゴミやチリなどを吸引することが出来なかった。このため、先端に向ってテーパー状に縮小する角筒状のノズルと吸込具（８）とを交換して、それらの箇所の掃除が行われている。しかしながら、このノズルは２０ｃｍ前後の短いものであり、且つ合成樹脂で形成されて硬いため、家具等の狭い隙間や下部の狭い隙間などのゴミやチリ或いはホコリを吸取ろうとしても、ノズルが隙間の奥まで入らないので、きれいに掃除することは困難であり、手前の部分しか掃除が行えないのが現状であった。又、前記箇所へ強引にノズルを入れて掃除を行うと、ノズルによって家具や壁に強く当り、それらに傷が付き易く、且つ損傷する恐れもあった。
【０００３】
一方、家具等の隙間や下部の隙間などのゴミやチリ或いはホコリが吸込み可能とするために提案されたものとして、特開２０００−２５４０４８がある。これは薄い楕円形のフレキ管（蛇腹状）の一方の先端に、この先端周辺部の四方に吸込み穴を開けた開放口とし、フレキ管の他方の先端には電気掃除機の吸引ホースと接続するためのテーパーになったジョイント（接続部）を設けたものである。しかしながら、前記先端周辺部の四方に吸込み穴を開けた開放口はノズルと同様に合成樹脂で形成されて硬いので、開放口よりも狭い隙間や溝などの場所を掃除する場合には、ゴミやチリ或いはホコリをきれいに吸取って掃除することが出来ず、且つ強引に開放口を押込んで掃除を行うと、前記ノズルと同様に家具や壁などに傷を付け易い等の問題点があった。
【０００４】
このため、電気掃除機の吸引管或いは吸引ホースよりも細くて柔軟性のあるホースを、吸引ホース或いは吸引管の先端に接続して、従来掃除が出来なかった狭い隙間や溝或いは折曲した隙間及び奥行きのある隙間などを簡単に掃除することが可能になると共に周囲の物体を損傷する恐れがなく掃除することが可能になる吸引ホース用接続具を、本発明者が登録実用新案第３１３２００３号（実願２００７−００１５３７）で提案したところである。しかしながら、これを電気掃除機の吸引ホースに差込む際、吸引ホースや吸引管の先端外形が、円筒状のもの以外に角筒状などがあるため、接続部が１つのものでは対応できなかった。
【特許文献１】特開２０００−２５４０４８号公報
【特許文献２】登録実用新案第３１３２００３号公報
【発明の開示】
【発明が解決しようとする課題】
【０００５】
本発明は電気掃除機の吸引管或いは吸引ホースなどの先端外形や太さを気にせずに使用でき、細くて柔軟性のあるホースを取付けて使用すれば、従来掃除が出来なかった狭い隙間や溝或いは折曲した隙間及び奥行きのある隙間などを簡単に掃除することが可能になると共に周囲の物体を損傷する恐れがなく掃除することが可能になる吸引ホース用接続具を提供することを目的とする。
【課題を解決するための手段】
【０００６】
本発明は上記問題点を解消するために成されたものであり、つまり、メガホン状の円筒な接続部と、ホースが差込まれるための円錐筒状の差込部と、該差込部の基部側と接続部の大口側を連結する円筒状の把持部とが、弾性を有した合成樹脂或いはゴムで一体成形された構造とする。又、メガホン状の円筒な接続部と、徐々に太くなる複数の段部を有した円筒状の差込部と、該差込部の基部側と接続部の大口側を連結する円筒状の把持部とが、弾性を有した合成樹脂或いはゴムで一体成形された構造としても良い。更に前記差込部の外周に表示された口径目安線を設けると良く、前記把持部の外周全体に突起を設けるのが好ましい。尚、本発明で言う「ホース」には、細径で管状なチューブも含むものとする。
【発明の効果】
【０００７】
請求項１のように吸引ホース（６）などの先端に挿入して取付けるためのメガホン状の円筒な接続部（１）と、ホース（７）が差込まれるための円錐筒状の差込部（２）と、該差込部（２）の基部側と接続部（１）の大口側を連結する円筒状の把持部（３）とが、弾性を有した合成樹脂或いはゴムで一体成形されることにより、本発明は電気掃除機の吸引管（９）或いは吸引ホース（６）の先端外形や太さを気にせずに使用でき、且つ、細くて柔軟性のあるホース（７）を取付けて使用すれば、従来掃除が出来なかった狭い隙間や溝或いは折曲した隙間及び奥行きのある隙間などを簡単に掃除することが可能になると共に周囲の物体を損傷させずに掃除することが可能になる。更に本発明は構造が極めて簡単であるため、大量生産が可能となり、より一層安価な製品として提供できるものとなる。
【０００８】
請求項２のように吸引ホース（６）或いは吸引管（９）の先端に挿入して取付けるためのメガホン状の円筒な接続部（１）と、ホース（７）の一端に挿入して取付けるために徐々に太くなる複数の段部を有した円筒状の差込部（２）と、該差込部（２）の基部側と接続部（１）の大口側を連結する円筒状の把持部（３）とが、弾性を有した合成樹脂或いはゴムで一体成形されることにより、請求項１と同様な効果が得られると共に差込部（２）の先端をホース（７）の径（太さ）に対応して切断することなく、そのまま差込んで使用でき、ホース（７）の取付けの手間が省けるものとなり、且つ、切断しないので、細いホース（７）やチューブが何時でも取付け可能な状態になる。
【０００９】
請求項３に示すように差込部（２）の外周に、ホース（７）が挿入される口径目安を表示する口径目安線（４）が設けられることにより、ホース（７）の径に応じて差込部（２）の先端を切断すれば、その差込部（２）の切口の大きさが正確になるため、ホース（７）の差込みが容易に行えるものとなる。また狭い隙間や溝或いは折曲した隙間及び奥行きのある隙間などに合せて簡単にホース（７）の選択ができる。つまり、身の回りにあるビニールホース（７）やチューブなどの利用し易いものを見つけ、その径に合せた箇所の差込部（２）の先端を切断すれば、手で簡単に取付けて前記箇所の掃除が可能になるのである
【００１０】
請求項４に示すように把持部（３）の外周全体に突起（５）を設けることにより、本発明品を使用する際に、持ち易くなって滑り止めの役目を果たすものとなるため、吸引ホース（６）やホース（７）などの着脱が効率良く行えるものとなる。
【発明を実施するための最良の形態】
【００１１】
図１は本発明の実施形態を示す図であり、これに基づき説明する。(１)は電気掃除機の吸引ホース（６）或いは吸引管（９）の先端に着脱可能に挿入して取付けるためのメガホン状の円筒で柔軟性を有した接続部であり、該接続部（１）の外径は、複数の吸引ホース（６）や吸引管（９）の装着穴に対応出来るように３０ｍｍ〜４０ｍｍ前後とするのが好ましく、且つ、その接続部（１）の長さとしては９０ｍｍ〜１２０ｍｍ前後とするのが好ましい。（２）はホース（７）の外径に応じて先端が切断されてその切口にホース（７）を差込むための円錐筒状で柔軟性を有した差込部である。（３）は接続部（１）の大口側と差込部（２）の基部側を連結する円筒状の把持部である。また前記接続部（１）と前記差込部（２）と前記把持部（３）は弾性を有した合成樹脂或いはゴムで一体成形されている。（４）は差込部（２）の外周に表示した口径目安線であり、該口径目安線（４）付近に図示しない口径数字を表示しておくと便利である。（５）は把持部（３）の外周全体に設けられた突起であり、これは滑り止めの役目を果す。尚、前記ホース（７）としては、水道水用や空気用に用いる一般的なビニールホースやゴムホースだけでなく、ビニールチューブやゴムチューブなどの細い管状のものなども用いると良い。
【００１２】
図２は他の本発明の実施形態を示す図であり、これは前記実施形態と比べ、差込部（２）が異なり、該差込部（２）は徐々に太くなる複数の段部を有した複数の円筒状と成している。また各段部の外周端部には若干太めの突部（21）を設けておくのが好ましく、突部（21）が設けられることにより、ホース（７）を挿入した際に外れにくいものとなるが、必ずしも必要ではない。他は前記実施形態と同じである。尚、前記接続部（１）の長さとしては、本発明品全体を制限するために、短めにしておくのが好ましい。
【００１３】
次に本発明の使用方法について説明する。先ず始め水道水用のホース（７）を先端に取付ける場合は、該ホース（７）の外径を測定し、差込部（２）の外周に表示した口径目安線（４）を目安として、差込部（２）の先端側をハサミやカッターなどで切り落とす。そして、前記切口にホース（７）の一端を適宜長さ挿入させる（図３参照）。この状態で取付け準備は完了する。この時のホース（７）の長さとしては、２メートル前後の長尺なものを用いると便利である。一方、他の本発明品を使用する場合は、差込部（２）の端部からホース（７）を挿入して行けば、そのホース（７）の内径に合った段部の突部（21）に嵌入されて取付けられるのである（図４参照）。この時、差込部（２）の段部の外径と、ホース（７）の内径が同一でなくても、差込部（２）の段部の外径が多少大きめな場合には、ホース（７）を強引に挿入させると、差込部（２）の段部が変形して挿入することが可能になる。尚、前記ホース（７）を専用として使用する場合には、嵌入された突部（21）よりも細い段部を切落とし、吸引する際の空気抵抗を減少させるようにしても良い。
【００１４】
次に掃除をする場合、特に狭い隙間や溝を掃除する時は、把持部（３）を手に持ち、接続部（１）を図５に示す吸引ホース（６）や吸引管（９）の先端に差込む。この時、弾性を有した接続部（１）を差込むと、その外形は押圧されて変形するが、前記吸引ホース（６）などの装着穴に密着した状態となる（図３、図４参照）。又、先端にジョイント等を有した吸引ホース（６）や吸引管（９）に接続部（１）を差込む場合でも、その外形は略角状などの異形であるが、装着穴は円形であるので、それらの外形を気にせずに差込むことが出来る。その後、電気掃除機のスイッチを入れて吸引を開始させる。すると、ホース（７）の他端からゴミやチリ或いはホコリが勢い良く吸引される。またホース（７）は自由自在に折曲できると共にその他端を押圧して狭い隙間や溝に入れることができるので、隙間や溝に沿ってホース（７）の他端を移動させるだけで、従来困難であった狭い隙間や溝の掃除が行えるものとなるのである。この時、吸引力が強過ぎて前に進まない場合には、ホース（７）の外周を適宜に押圧して、吸引力を弱めてから掃除を続行すれば良い。またホース（７）の他端を押圧しても入らない狭い隙間や溝の場合には、別の本発明品の先端に細いチューブを挿入して用意したものと、前記ホース（７）が挿入された本発明品とを交換し、その接続部（１）を上記同様に吸引ホース（６）や吸引管（９）の先端に嵌め込むと良い。この時、他の本発明品を使用している場合には、細いホース（７）と交換するだけの簡単な動作でセットできる。交換後、前記ホース（７）の掃除と同様の要領で狭い隙間や溝の掃除を行えば良い。
【００１５】
このように差込部（２）の切口にビニールホースやチューブなどのホース（７）を適宜長さ挿入して、或いは差込部（２）の段部にホース（７）を挿入して取付け、且つ、接続部（１）を電気掃除機の吸引ホース（６）などに取付けて掃除を行えば、従来の電気掃除機に専用ノズルを取付けても掃除が出来なかった場所、例えば、タンスなどの家具と壁等の狭い隙間，家具や機械器具及びベッドなどの下部の奥行き部分，アルミサッシのレール部，窓の溝部などが簡単に掃除できると共に家具や壁にビニールホース（７）が強く当っても、傷が付いて損傷することなく掃除が簡単に行えるのである。特にビニールホース（７）やチューブが折曲自在なため、より狭い隙間や複雑な隙間への挿入が可能となり、且つその隙間の奥まで入るので、掃除が困難であった従来の狭い隙間や溝或いは曲りくねった隙間等の掃除が可能になる。しかもホース（７）の外周を手で押えることにより、吸引力を調節することが出来るものとなる。このため、本発明品は部屋内や事務所或いは工場、車の内部等あらゆる隙間のチリやゴミ及びホコリなどを吸引することが可能になるのである。尚、前記ホース（７）の先端に図示しないブラシや刷毛などを取付けながら、或いは併用しながら掃除を行うと、より簡単で且つより一層きれいにすることが出来るものとなる。
【産業上の利用可能性】
【００１６】
本発明は電気掃除機や真空ポンプなどの吸引力を利用して、本発明品にチューブを差込むことで、喉に詰まった異物を簡単に且つ確実に除去することが可能になるため、簡易な医療用吸引具として利用することが出来る。又、掃除機や真空ポンプなどの吸引力を利用して、工場や作業現場の溝や隅の掃除用として利用することが可能であると共に本発明品に差込むビニールホース（７）やチューブを長くして使用することにより、コンセントから遠く離れた箇所の掃除も可能になる。更に電気器具の基板や配電盤内部のチリやホコリなどもホース（７）を用いれば、安全で且つ簡単に吸引することが可能となり、重宝なものとなる。
【図面の簡単な説明】
【００１７】
【図１】本発明の実施形態を示す斜視図である。
【図２】他の本発明の実施形態を示す斜視図である。
【図３】本発明品の取付状態を示す断面図である。
【図４】他の本発明品の取付状態を示す断面図である。
【図５】従来の電気掃除機の要部を示す説明図である。
【符号の説明】
【００１８】
１  接続部
２  差込部
３  把持部
４  口径目安線
５  突起
６  吸引ホース
７  ホース
９  吸引管
【図１】
2009125336.tif 000003
【図２】
2009125336.tif 000004
【図３】
2009125336.tif 000005
【図４】
2009125336.tif 000006
【図５】
2009125336.tif 000007